(57)【要約】【課題】使用済後において土中に埋設することにより、土中生息の微生物によって分解消滅され、汚染することがなく、環境破壊や環境汚染を引き起こすことがなく、廃棄処理を容易にした生分解性プラスチック製のヒールを提供する。【解決手段】ポリ乳酸樹脂を射出成形して形成された生分解性プラスチック製のヒール。【選択図】図１
0003127316.tif 000002
【実用新案登録請求の範囲】
【請求項１】
ポリ乳酸樹脂を射出成形して形成された生分解性プラスチック製のヒール。
【請求項２】
前記ヒールは、底部に穿設した縦穴にトップリフト軸杆が差し込まれてトップリフトを取り付けるようになっている請求項１に記載の生分解性プラスチック製のヒール。
【考案の詳細な説明】
【技術分野】
【０００１】
本考案は生分解性プラスチックであるポリ乳酸よりなる、主として婦人用靴のヒールに関するものであり、さらに詳しくは、ロウヒール、中ヒール、ハイヒールあるいはフラットヒールなど各種のヒールに適用できる生分解性プラスチック製のヒールに関するものである。
【背景技術】
【０００２】
靴のヒールは、ヒールにかかる荷重や衝撃を充分に緩和させ、足元をしっかりと支える安定性を持ち合わさなければいけないことから、一般的には剛性、硬度、耐衝撃性に優れているＡＢＳ樹脂などの硬質合成樹脂を用いて成形されていた（例えば、特許文献１〜３参照）。
【０００３】
【特許文献１】実公平１−１５８７０５号公報
【特許文献２】実公平４−１７０４１号公報
【特許文献３】実公平４−５０８０５号公報
【考案の開示】
【考案が解決しようとする課題】
【０００４】
しかしながら、前記のＡＢＳ樹脂など硬質合成樹脂のヒールが取り付けられた靴が履けなくなった時には廃棄されるが、廃棄されても一般的な硬質合成樹脂のヒールは生分解性を有していないので、自然環境下においては分解されず、そのままの形状が残存することになり、環境を汚染する一つの原因になっている。また、焼却処理するとダイオキシンなど有害ガスの環境汚染物質が発生することになり、大気汚染するだけでなく、焼却炉の劣化を促進する等の問題点があった。
【０００５】
そこで、近年、使用済後土中に埋設することにより、微生物によって水と炭酸ガスに完全分解され自然に還る生分解性プラスチックが開発されたことにより、既に食品・雑貨の包装材、ゴミ袋、農業用フイルムなどのシート材や化粧容器、食器などは実用化されており、好評を得ていて各種の分野に広がりをみせているが、履物の分野である靴のヒールは未だ生分解性プラスチックヒールが存在していなかった。
【０００６】
本考案は、上記のような問題点を解決することを課題として開発されたもので、ポリ乳酸樹脂でヒールを成形し、使用済後において土中に埋設することにより、土中生息の微生物によって分解消滅され、汚染することがなく、環境破壊や環境汚染を引き起こすことがなく、廃棄処理を容易にした生分解性プラスチック製のヒールを提供することを目的とするものである。
【課題を解決するための手段】
【０００７】
上記の課題を解決し、その目的を達成する手段として、本考案はポリ乳酸樹脂を射出成形して形成された生分解性プラスチック製のヒールを開発し、採用した。
【０００８】
また、上記のように構成した生分解性プラスチック製のヒールにおいて、前記ヒールは、底部に穿設した縦穴に軸杆部が差し込まれてトップリフトを取り付けるようになっている生分解性プラスチック製のヒールを開発し、採用した。
【考案の効果】
【０００９】
本考案の生分解性プラスチック製のヒールは、ポリ乳酸樹脂を射出成形して形成されたものであるから、靴の使用済み後において、仮に焼却しても、燃焼した際に出る二酸化炭素はもともと空気中にあったもので、大気中の二酸化炭素は増加しないというカーボンニュートラル特性を有し地球温暖化防止になる。また、廃棄物として投棄された場合においては、土中、水中の自然環境化で分解し、地球環境破壊のない成分に分解できる。
【００１０】
また、生分解性プラスチックとしてポリ乳酸樹脂を用いており、ポリ乳酸樹脂はトウモロコシやサツマイモ等の植物を原料として大量生産可能であり、石油系製品などの枯渇が懸念される資源の節約になる。
【考案を実施するための最良の形態】
【００１１】
以下に、本考案の実施形態を添付図面に基づいて説明すれば、図１は本考案の生分解性プラスチック製のコンチネンタルヒールの斜視図、図２は分解断面図である。
【００１２】
１は生分解性プラスチック材料であるポリ乳酸を用いて射出成形したヒール本体であり、コンチネンタルヒールを示しているが、それに限らずフレンチヒール、ルイヒール、セットバックヒール、キューバンヒール、スタックドヒール、フラッドヒール、コーンヒール、ウエッジヒールなどでもよい。
【００１３】
ヒール本体１の底部には縦長の差込孔２を穿設してあり、この差込孔２にトップリフト軸杆３が嵌入してヒール本体１とトップリフト４が一体化するようになっている。
【００１４】
前記のポリ乳酸としては、構造単位がＬ−乳酸であるポリ（Ｌ−乳酸）、構造単位がＤ−乳酸であるポリ（Ｄ−乳酸）、構造単位がＬ−乳酸およびＤ−乳酸であるポリ（ＤＬ−乳酸）またはこれらの混合物などを用いることができる。
【００１５】
この生分解性プラスチック製のヒールを得るには、ポリ乳酸樹脂を成形機のホッパに投入し、整形機の中の加熱筒により加熱しながらスクリューで練られ液状にする。その後、成形金型へ射出し成形することにより、ヒールの原型ができ上がり、外周面を塗装またはメッキなどを施して仕上げるものである。
【００１６】
このようにして得られた実施形態の使用例を作用、効果と共に説明すると、ポリ乳酸樹脂を用いて射出成形された生分解性プラスチック製のヒール本体１の底部に穿設した縦長の差込孔２に、トップリフト軸杆３を嵌入してヒール本体１とトップリフト４を一体化するものであり、従来のＡＢＳ樹脂のヒールに較べてコストが高くなると共に、重量が２０％程度増すが、強度、硬度、柔軟性などヒール性能に重要な要件のバランスが取れているから、ＡＢＳ樹脂のヒールに充分取り替わることができる。
【００１７】
また、外周面を装飾仕上げする場合に、電気メッキはできないが、蒸着メッキおよび塗装には何らの支障がなく、また靴に取り付けるためのネジ止め、接着においても悪影響を与えることがない。さらに、生分解性プラスチック製のヒールは、ポリ乳酸樹脂であり原料がトウモロコシやサツマイモなどの澱粉であることから、自然環境下で分解されて最終的には二酸化炭素と水になるため、環境汚染など生じることがない。
【００１８】
以上、本考案の主要な実施例について説明したが、本考案はこれらの実施例に限定されるものではなく、考案の目的を達成でき、かつ考案の要旨を逸脱しない範囲内で種々設計変更が可能であり、それらも全て本考案の範囲内に包含されるものである。
【産業上の利用可能性】
【００１９】
本考案は婦人靴のロウヒール、中ヒール、ハイヒールにかぎらず、パンプスのヒールや紳士靴のヒールにも有効的に利用できるものである。
【図面の簡単な説明】
【００２０】
【図１】本発明の生分解性プラスチック製ヒールの斜視図である。
【図２】本発明のヒールとトップリフトの分解図である。
【符号の説明】
【００２１】
１  ヒール本体
２  縦穴  
３  トップリフト軸杆
４  トップリフト
【図１】
0003127316.tif 000003
【図２】
0003127316.tif 000004